(57)【要約】【課題】着脱可能である熱電対を測温対象に適切に支持する。【解決手段】炉壁に接合されるパッド部１と、パッド部１と別個である熱電対部２１とを備えている。熱電対部２１は、測温部２３と、測温部２３に接続されるケーブル部分２２と、ケーブル部分２２に固定されるホールドバー２４とを有している。パッド部１は、測温領域と、外部から測温領域まで測温部２３が通過する測温部通過領域と、測温部２３が測温領域に配置されたときにホールドバー２４が引っ掛かる引っ掛かり面とが形成されている。このようなパッド型熱電対は、測温部２３が所定の領域に配置されたときにホールドバー２４が引っ掛かり面に引っ掛かることにより、熱電対部２１が炉壁から脱落しないように熱電対部２１を炉壁に適切に支持し、熱電対が炉壁の温度を適切に測定することができる。【選択図】図６
2015094604.tif 000002
【特許請求の範囲】
【請求項１】
測温対象に接合されるパッド部と、
前記パッド部と別個である熱電対部とを備え、
前記熱電対部は、
測温部と、
前記測温部に接続されるケーブル部分と、
前記ケーブル部分に固定される引っ掛け部分とを有し、
前記パッド部は、
測温領域と、
外部から前記測温領域まで前記測温部が通過する測温部通過領域と、
前記測温部が前記測温領域に配置されたときに前記引っ掛け部分が引っ掛かる引っ掛かり面とが形成されるパッド型熱電対。
【請求項２】
前記引っ掛け部分は、前記ケーブル部分の長手方向の垂直方向に前記ケーブル部分から突出するように形成され、
前記パッド部は、
前記測温部が前記測温領域に配置されているときに前記ケーブル部分が回転することにより前記引っ掛け部分が通過する第１引っ掛け部分通過領域と、
前記引っ掛け部分が前記引っ掛かり面から外れている場合で前記測温部が前記測温部通過領域を通過するときに前記引っ掛け部分が通過する第２引っ掛け部分通過領域とが形成され、
前記引っ掛け部分は、前記第１引っ掛け部分通過領域を通過することにより、前記引っ掛かり面から外れたり、前記引っ掛かり面に引っ掛かったりする請求項１に記載されるパッド型熱電対。
【請求項３】
前記パッド部は、
前記測温部が前記測温部通過領域に配置されているときに前記ケーブル部分が回転することにより前記引っ掛け部分が通過する第３引っ掛け部分通過領域と、
前記測温部が前記測温部通過領域を通過するときに前記引っ掛け部分が通過する第４引っ掛け部分通過領域と、
前記引っ掛け部分が引っ掛かる途中引っ掛かり面とがさらに形成され、
前記引っ掛け部分は、
前記第１引っ掛け部分通過領域を通過するときに、前記ケーブル部分が回転方向に回転することにより前記引っ掛かり面から外れ、
前記第３引っ掛け部分通過領域を通過するときに、前記ケーブル部分が前記回転方向の反対方向に回転することにより前記途中引っ掛かり面から外れる請求項２に記載されるパッド型熱電対。
【請求項４】
前記引っ掛け部分は、
前記測温部が前記測温部通過領域を通過するときに、弾性変形し、
前記測温部が前記測温領域に配置されたときに、復元することにより前記引っ掛かり面に引っ掛かる請求項１に記載されるパッド型熱電対。
【請求項５】
前記熱電対部は、弾性変形することにより前記ケーブル部分通過領域を通過する他の引っ掛け部分をさらに有し、
前記他の引っ掛け部分は、前記測温部が前記測温領域に配置されたときに復元することにより前記パッド部に形成される途中引っ掛かり面に引っ掛かる請求項４に記載されるパッド型熱電対。
【請求項６】
前記パッド部は、前記測温部が前記測温領域に配置されたときに前記測温領域が封止されるように形成される請求項１〜請求項５のうちのいずれか一項に記載されるパッド型熱電対。
【発明の詳細な説明】
【技術分野】
【０００１】
本発明は、パッド型熱電対に関し、特に、測温対象の温度を測定するときに利用されるパッド型熱電対に関する。
【背景技術】
【０００２】
熱電対を用いてボイラの炉壁の温度を測定するパッド型熱電対が知られている。パッド型熱電対は、熱電対が固着されたパッド部が炉壁に溶接により接合されている（たとえば、特許文献１参照。）。このようなパッド型熱電対は、損傷した熱電対を他の熱電対に交換するときに、測温対象からパッド部を取り外す必要がある。このようなパッド型熱電対は、測温対象からパッド部を取り外すときに、測温対象を傷つけたり、破壊したりすることがある。測温対象を傷つけることなく、熱電対を交換することができるパッド型熱電対が望まれている。
【０００３】
特許文献２には、温度測定を行うシース熱電対と、温度測定対象面に取り付けられるパッド部材とを備え、パッド部材が該シース熱電対の感温部周辺を支持しているパッド型熱電対が開示されている。
【先行技術文献】
【特許文献】
【０００４】
【特許文献１】特開平３−１８３９１９号公報
【特許文献２】特開２００６−２１４８６６号公報
【発明の概要】
【発明が解決しようとする課題】
【０００５】
パッド型熱電対は、測温対象の温度を適切に測定することが望まれ、着脱可能である熱電対を測温対象に適切に支持することが望まれている。
【０００６】
本発明の課題は、着脱可能である熱電対を測温対象に適切に支持するパッド型熱電対を提供することにある。
本発明の他の課題は、着脱可能である熱電対を用いて測温対象の温度を適切に測定するパッド型熱電対を提供することにある。
【課題を解決するための手段】
【０００７】
本発明によるパッド型熱電対は、測温対象に接合されるパッド部と、前記パッド部と別個である熱電対部とを備えている。前記熱電対部は、測温部と、前記測温部に接続されるケーブル部分と、前記ケーブル部分に固定される引っ掛け部分とを有している。前記パッド部は、測温領域と、外部から前記測温領域まで前記測温部が通過する測温部通過領域と、前記測温部が前記測温領域に配置されたときに前記引っ掛け部分が引っ掛かる引っ掛かり面とが形成されている。
このようなパッド型熱電対は、測温部が所定の測温対象領域に配置されたときに引っ掛け部分が引っ掛かり面に引っ掛かることにより、熱電対部が測温対象から脱落しないように熱電対部を測温対象に適切に支持し、熱電対が測温対象の温度を適切に測定することができる。さらに、このようなパッド型熱電対は、引っ掛け部分が引っ掛かり面から外されることにより、熱電対部がパッド部から取り外され、熱電対部を測温対象から取り外すことができる。このため、このようなパッド型熱電対は、熱電対部を測温対象から取り外すときに、パッド部を測温対象から取り外す必要がなく、熱電対部を測温対象から容易に取り外すことができる。その結果、このようなパッド型熱電対は、熱電対部を測温対象から容易に取り外すことができることにより、熱電対部を別の熱電対部に容易に取り換えることができる。
【０００８】
前記引っ掛け部分は、前記ケーブル部分の長手方向の垂直方向に前記ケーブル部分から突出するように形成されている。前記パッド部は、前記測温部が前記測温領域に配置されているときに前記ケーブル部分が回転することにより前記引っ掛け部分が通過する第１引っ掛け部分通過領域と、前記引っ掛け部分が前記引っ掛かり面から外れている場合で前記測温部が前記測温部通過領域を通過するときに前記引っ掛け部分が通過する第２引っ掛け部分通過領域とが形成されている。前記引っ掛け部分は、前記第１引っ掛け部分通過領域を通過することにより、前記引っ掛かり面から外れたり、前記引っ掛かり面に引っ掛かったりする。
このようなパッド型熱電対は、熱電対部をパッド部から外すときに、ケーブル部分が回転する必要があり、熱電対部が測温対象から容易に脱落しないように熱電対部を適切に支持することができる。このようなパッド型熱電対は、熱電対部が測温対象に適切に支持されることにより、測温対象を適切に測定することができる。
【０００９】
前記パッド部は、前記測温部が前記測温部通過領域に配置されているときに前記ケーブル部分が回転することにより前記引っ掛け部分が通過する第３引っ掛け部分通過領域と、前記測温部が前記測温部通過領域を通過するときに前記引っ掛け部分が通過する第４引っ掛け部分通過領域と、前記引っ掛け部分が引っ掛かる途中引っ掛かり面とがさらに形成されている。前記引っ掛け部分は、前記第１引っ掛け部分通過領域を通過するときに、前記ケーブル部分が回転方向に回転することにより前記引っ掛かり面から外れ、前記第３引っ掛け部分通過領域を通過するときに、前記ケーブル部分が前記回転方向の反対方向に回転することにより前記途中引っ掛かり面から外れる。
このようなパッド型熱電対は、熱電対部がパッド部から外れるときに、ケーブル部分が回転した後に反対方向に回転する必要があり、ケーブル部分が一方向に回転するだけでは熱電対部が測温対象から脱落しないように熱電対部を適切に支持することができる。
【００１０】
前記引っ掛け部分は、前記測温部が前記測温部通過領域を通過するときに、弾性変形し、前記測温部が前記測温領域に配置されたときに、復元することにより前記引っ掛かり面に引っ掛かる。
このようなパッド型熱電対は、熱電対部をパッド部から外すときに、引っ掛け部分を弾性変形させる必要があり、熱電対部が測温対象から容易に脱落しないように熱電対部を適切に支持することができる。このようなパッド型熱電対は、熱電対部が測温対象に適切に支持されることにより、測温対象を適切に測定することができる。
【００１１】
前記熱電対部は、弾性変形することにより前記ケーブル部分通過領域を通過する他の引っ掛け部分をさらに有している。前記他の引っ掛け部分は、前記測温部が前記測温領域に配置されたときに復元することにより前記パッド部に形成される途中引っ掛かり面に引っ掛かる。
このようなパッド型熱電対は、弾性変形する複数の引っ掛け部分を熱電対部が有することにより、熱電対部がパッド部に確実に支持されることができる。
【００１２】
前記パッド部は、前記測温部が前記測温領域に配置されたときに前記測温領域が封止されるように形成されている。
このようなパッド型熱電対は、測温部通過領域以外を介して測温領域に空気が流入することが防止され、測温対象の温度を高精度に測定することができる。
【発明の効果】
【００１３】
本発明によるパッド型熱電対は、測温部が所定の測温対象領域に配置されているときに引っ掛け部分が引っ掛かり面に引っ掛かることにより、熱電対部が測温対象から脱落しないように熱電対部を測温対象に適切に支持し、熱電対が測温対象の温度を適切に測定することができる。
【図面の簡単な説明】
【００１４】
【図１】パッド部を示す平面図である。
【図２】パッド部を示す側面図である。
【図３】パッド部の接合面を示す裏面図である。
【図４】熱電対部を示す平面図である。
【図５】熱電対部を示す側面図である。
【図６】パッド部を介して熱電対部を支持する動作を示す図である。
【図７】他のパッド部を示す平面図である。
【図８】他のパッド部の下面を示す下面図である。
【図９】他の熱電対部を示す平面図である。
【図１０】他のパッド部を介して他の熱電対部を支持する動作を示す図である。
【図１１】さらに他のパッド型熱電対を示す平面図である。
【発明を実施するための形態】
【００１５】
図面を参照して、パッド型熱電対の第１実施形態が以下に記載される。パッド型熱電対は、パッド部が熱電対部とともに設けられている。図１は、パッド部１を示している。パッド部１は、直方体状に形成され、溶接によりボイラの炉壁１０に接合されている。炉壁１０は、パッド部１が接合される面が鉛直方向に概ね平行であるように形成されている。
【００１６】
パッド部１は、図２に示されるように、炉壁１０に接合される接合面２に、溝が形成されることにより、熱電対挿入方向３に平行である直線に沿う測温部通過領域５が形成されている。溝は、パッド部１のうちの熱電対挿入方向３の側の上面６につながらないで、パッド部１のうちの熱電対挿入方向３の反対側の下面７につながるように、形成されている。パッド部１は、さらに、測温部通過領域５の熱電対挿入方向３の側の端に測温領域８が形成されている。測温領域８は、さらに、熱電対挿入方向３に垂直である投影面に測温領域８を正射影した図形が、投影面に測温部通過領域５を正射影した図形に重なるように、形成されている。
【００１７】
このとき、パッド部１は、熱電対挿入方向３が鉛直上側を向くように、炉壁１０に接合されている。パッド部１は、さらに、炉壁１０のうちの温度を測定したい測温対象領域に測温領域８が最も接近するように、炉壁１０に接合されている。パッド部１は、溝が上面６につながらないように形成されていることにより、接合面２が炉壁１０に接合された場合で、測温部通過領域５に物が充填されたときに、測温領域８が封止されるように形成されている。
【００１８】
パッド部１は、表面にさらに溝が形成されることにより、第１ホールドバー通過領域１１と第２ホールドバー通過領域１２と第３ホールドバー通過領域１３と第４ホールドバー通過領域１４とが形成されている。
【００１９】
第１ホールドバー通過領域１１は、接合面２と下面７との間に形成される溝により形成されている。第１ホールドバー通過領域１１は、熱電対挿入方向３に垂直である直線に沿うように形成されている。第１ホールドバー通過領域１１は、さらに、測温部通過領域５につながるように、かつ、パッド部１のうちの側面１５につながるように、形成されている。側面１５は、熱電対挿入方向３に平行である面であり、接合面２と上面６と下面７とに隣接している。
【００２０】
第２ホールドバー通過領域１２は、接合面２の反対側の表側面１６と側面１５とに形成される溝により形成されている。第２ホールドバー通過領域１２は、第１ホールドバー通過領域１１より熱電対挿入方向３の側に配置されるように、かつ、熱電対挿入方向３に垂直である平面に沿うように、形成されている。第２ホールドバー通過領域１２は、さらに、測温部通過領域５につながるように、かつ、第１ホールドバー通過領域１１につながるように、形成されている。
【００２１】
第３ホールドバー通過領域１３は、図３に示されるように、表側面１６に形成される溝により形成されている。第３ホールドバー通過領域１３は、第２ホールドバー通過領域１２より熱電対挿入方向３の側に配置されるように、かつ、熱電対挿入方向３に平行である直線に沿うように、形成されている。第３ホールドバー通過領域１３は、さらに、測温部通過領域５につながるように、かつ、第２ホールドバー通過領域１２につながるように、形成されている。
【００２２】
第４ホールドバー通過領域１４は、側面１５と接合面２の反対側の表側面１６とに形成される溝により形成されている。第４ホールドバー通過領域１４は、第３ホールドバー通過領域１３より熱電対挿入方向３の側に配置されるように、かつ、熱電対挿入方向３に垂直である平面に沿うように、形成されている。第４ホールドバー通過領域１４は、熱電対挿入方向３に垂直である投影面に第４ホールドバー通過領域１４を正射影した図形が、投影面に第２ホールドバー通過領域１２を正射影した図形に重なるように、形成されている。第４ホールドバー通過領域１４は、さらに、測温部通過領域５につながるように、かつ、第３ホールドバー通過領域１３につながるように、形成されている。
【００２３】
パッド部１は、さらに、引っ掛かり面１７と途中引っ掛かり面１８とが形成されている。引っ掛かり面１７は、第４ホールドバー通過領域１４を形成する溝に形成され、法線が熱電対挿入方向３を向くように形成されている。途中引っ掛かり面１８は、第２ホールドバー通過領域１２を形成する溝に形成され、法線が熱電対挿入方向３を向くように形成されている。
【００２４】
図４は、熱電対部２１を示している。熱電対部２１は、ケーブル部分２２と測温部２３とホールドバー２４とを備えている。ケーブル部分２２は、屈曲することができるケーブルに形成され、内部に２本の金属線が通されている。測温部２３は、ケーブル部分２２の一端に形成されている。ケーブル部分２２を通る２本の金属線は、測温部２３で接触している。ケーブル部分２２は、図示されていない他端が制御装置に接続されている。制御装置は、ケーブル部分２２を通る２本の金属線の起電力を測定することにより、測温部２３が配置されている雰囲気の温度を測定する。
【００２５】
ホールドバー２４は、図５に示されるように、棒状に形成されている。ホールドバー２４は、ケーブル部分２２が沿う直線に直交する直線に沿うように、かしめにより一端がケーブル部分２２の測温部２３の近傍に固定されている。
【００２６】
図６は、パッド部１を介して熱電対部２１を炉壁１０に固定する方法を示している。熱電対部２１は、パッド部１が炉壁１０に接合された後に、まず、ケーブル部分２２が測温部通過領域５の一部に配置されるように、かつ、ホールドバー２４が第１ホールドバー通過領域１１に配置されるように、パッド部１に形成される溝に挿入される。熱電対部２１は、ホールドバー２４が第１ホールドバー通過領域１１に配置された後に、ホールドバー２４が第２ホールドバー通過領域１２に配置されるように、熱電対挿入方向３に平行移動される（ステップＳ１）。
【００２７】
熱電対部２１は、ホールドバー２４が第２ホールドバー通過領域１２に配置された後に、ホールドバー２４が第３ホールドバー通過領域１３に配置されるように、熱電対挿入方向３に平行である回転軸を中心に回転される（ステップＳ２）。
【００２８】
熱電対部２１は、ホールドバー２４が第３ホールドバー通過領域１３に配置された後に、ホールドバー２４が第４ホールドバー通過領域１４に配置されるように、熱電対挿入方向３に平行移動される（ステップＳ３）。
【００２９】
熱電対部２１は、ホールドバー２４が第４ホールドバー通過領域１４に配置された後に、引っ掛かり面１７の熱電対挿入方向３の側にホールドバー２４が配置されるように、熱電対挿入方向３に平行である回転軸を中心に、ステップＳ２で回転した回転方向と反対方向に回転される（ステップＳ４）。
【００３０】
熱電対部２１は、引っ掛かり面１７の熱電対挿入方向３の側にホールドバー２４が配置されることにより、測温部２３が測温領域８に配置される。すなわち、パッド部１は、引っ掛かり面１７の熱電対挿入方向３の側にホールドバー２４が配置されたときに、測温部２３が測温領域８に配置されるように形成されている。
【００３１】
熱電対部２１のケーブル部分２２に接続される制御装置は、測温部２３が測温領域８に配置されているときに、ケーブル部分２２を通る２本の金属線の起電力を測定することにより炉壁１０の測温対象領域の温度を測定する。
【００３２】
熱電対部２１は、図６に示される手順を逆にたどることにより炉壁１０から取り外すことができる。すなわち、熱電対部２１は、測温部２３が測温領域８に配置され、ホールドバー２４が引っ掛かり面１７に引っ掛かっているときに、ホールドバー２４が引っ掛かり面１７から外れるように、すなわち、ホールドバー２４が第３ホールドバー通過領域１３に配置されるように、熱電対挿入方向３に平行である回転軸を中心に回転される。
【００３３】
熱電対部２１は、ホールドバー２４が第３ホールドバー通過領域１３に配置された後に、ホールドバー２４が第２ホールドバー通過領域１２に配置されるように、熱電対挿入方向３の反対方向に平行移動される。
【００３４】
熱電対部２１は、ホールドバー２４が第２ホールドバー通過領域１２に配置された後に、ホールドバー２４が途中引っ掛かり面１８から外れるように、すなわち、ホールドバー２４が第１ホールドバー通過領域１１に配置されるように、熱電対挿入方向３に平行である回転軸を中心に、ホールドバー２４が引っ掛かり面１７から外れるときに回転した回転方向と反対方向に回転される。
【００３５】
熱電対部２１は、ホールドバー２４が第１ホールドバー通過領域１１に配置された後に、熱電対挿入方向３の反対方向に平行移動され、パッド部１から取り外される。
【００３６】
第１実施形態のパッド型熱電対は、熱電対部２１がパッド部１に着脱可能であることにより、溶接によりパッド部１が炉壁１０に接合された場合でも、炉壁１０を傷つけたり、破壊したりすることなく、熱電対部２１を他の熱電対部に交換することができる。
【００３７】
熱電対部２１は、測温部２３が測温領域８に配置されているときに、ケーブル部分２２が熱電対挿入方向３の反対方向に引っ張られると、ホールドバー２４が引っ掛かり面１７に引っ掛かり、測温部２３が測温領域８から抜け出ることが防止される。このため、第１実施形態のパッド型熱電対は、測温部２３が測温領域８から抜け出ないように熱電対部２１を炉壁１０に適切に支持することができ、炉壁１０の温度を適切に測定することができる。
【００３８】
熱電対部２１は、測温部２３が測温領域８に配置されている場合で、ホールドバー２４が引っ掛かり面１７から外れるように、ケーブル部分２２が回転されると、重力により熱電対挿入方向３の反対方向に平行移動し、ホールドバー２４が途中引っ掛かり面１８に引っ掛かる。このとき、熱電対部２１がパッド部１から外れるためには、ケーブル部分２２は、ホールドバー２４が引っ掛かり面１７から外れるときに回転した回転方向と反対方向に回転する必要がある。このため、第１実施形態のパッド型熱電対は、ケーブル部分２２が一方向に回転するだけでは熱電対部２１が炉壁１０から脱落しないように熱電対部２１を適切に支持することができる。
【００３９】
なお、パッド部１は、ケーブル部分２２が２方向に回転するおそれがないときに、熱電対部２１が第３ホールドバー通過領域１３から熱電対挿入方向３の反対方向に平行移動するだけで外部に取り出されるように形成される他のパッド部に置換されることができ、すなわち、パッド部１のうちの第３ホールドバー通過領域１３より熱電対挿入方向３の反対方向の側の部分が省略された他のパッド部に置換されることができる。このようなパッド部を備えたパッド型熱電対も、既述の第１実施形態のパッド型熱電対と同様にして、測温部２３が測温領域８から抜け出ないように熱電対部２１を炉壁１０に適切に支持することができ、炉壁１０の温度を適切に測定することができる。
【００４０】
パッド型熱電対の第２実施形態は、パッド部が熱電対部とともに設けられている。そのパッド部３１は、図７に示されるように、直方体状に形成され、溶接によりボイラの炉壁１０に接合されている。パッド部３１は、炉壁１０に接合される接合面２に、溝が形成されることにより、測温部通過領域３２と測温領域３３とクリップ部通過領域３４とが形成されている。
【００４１】
測温部通過領域３２は、パッド部３１のうちの熱電対挿入方向３５の反対方向の側の下面３６からパッド部３１の中央に向けて形成される開口に形成されている。測温領域３３は、パッド部３１の中央に形成され、測温部通過領域３２に接続されるように形成されている。クリップ部通過領域３４は、測温領域３３より熱電対挿入方向３５の側に形成され、測温領域３３に接続されるように形成されている。クリップ部通過領域３４の幅は、測温領域３３の幅より狭い。
【００４２】
パッド部３１は、さらに、テーパ面３７と第１引っ掛かり面３８と第２引っ掛かり面３９とが形成されている。テーパ面３７は、図８に示されるように、測温部通過領域３２の幅が測温領域３３に近づくにつれ狭くなるように、測温部通過領域３２に形成されている。第１引っ掛かり面３８と第２引っ掛かり面３９とは、図７に示されるように、第１引っ掛かり面３８と第２引っ掛かり面３９との間にクリップ部通過領域３４が配置されるように、クリップ部通過領域３４の熱電対挿入方向３５の側の端に形成されている。さらに、第１引っ掛かり面３８と第２引っ掛かり面３９とは、それぞれ、法線が熱電対挿入方向３５を概ね向くように形成されている。
【００４３】
図９は、熱電対部４１を示している。熱電対部４１は、既述の第１実施形態における熱電対部２１のホールドバー２４が第１クリップ４４と第２クリップ４５とに置換されている。第１クリップ４４と第２クリップ４５とは、それぞれ、弾性体から形成され、測温部２３のケーブル部分２２が接合されている側の反対側から張り出すように配置され、一端が測温部２３に固定されている。さらに、第１クリップ４４と第２クリップ４５とは、それぞれ、クリップ部通過領域３４の幅より狭い直径の円を他端が描くように丸められている。さらに、第１クリップ４４は、第１クリップ４４が形成する円が測温部２３の幅方向に張り出すように、形成されている。第２クリップ４５は、第１クリップ４４が形成する円が張り出す方向の反対方向に、第２クリップ４５が形成する円が張り出すように、形成されている。このとき、測温部２３の幅は、クリップ部通過領域３４の幅より大きく、測温部通過領域３２の幅と測温領域３３の幅とより小さい。
【００４４】
図１０は、パッド部３１を介して熱電対部４１を炉壁１０に固定する方法を示している。熱電対部４１は、パッド部３１が炉壁１０に接合された後に、まず、第１クリップ４４と第２クリップ４５とが測温部通過領域３２に配置されるように、パッド部３１に形成される溝に挿入される。熱電対部４１は、第１クリップ４４と第２クリップ４５とが測温部通過領域３２に配置された後に、熱電対挿入方向３５に平行移動される（ステップＳ１１）。第１クリップ４４と第２クリップ４５とは、熱電対部４１が熱電対挿入方向３５に平行移動されるときに、テーパ面３７に押され、弾性変形する。
【００４５】
熱電対部４１は、第１クリップ４４と第２クリップ４５とが測温領域３３に配置された後に、さらに、熱電対挿入方向３５に平行移動される（ステップＳ１２）。第１クリップ４４と第２クリップ４５とは、熱電対部４１が熱電対挿入方向３５に平行移動されることにより、さらに弾性変形し、クリップ部通過領域３４に配置される。
【００４６】
熱電対部４１は、第１クリップ４４と第２クリップ４５とがクリップ部通過領域３４に配置された後に、さらに、熱電対挿入方向３５に平行移動される（ステップＳ１３）。
【００４７】
熱電対部４１は、熱電対挿入方向３５に平行移動されることにより、測温部２３が測温領域３３に配置される。第１クリップ４４と第２クリップ４５とは、測温部２３が測温領域３３に配置されたときに、第１引っ掛かり面３８と第２引っ掛かり面３９との近傍に配置されることにより、弾性変形が復元する。第１クリップ４４は、復元することにより、第１クリップ４４が形成する円が第１引っ掛かり面３８の熱電対挿入方向３５の側に配置される。第２クリップ４５は、復元することにより、第２クリップ４５が形成する円が第２引っ掛かり面３９の熱電対挿入方向３５の側に配置される。
【００４８】
このため、熱電対部４１は、測温部２３が測温領域３３に配置されたときに、重力により熱電対挿入方向３５の反対方向に引っ張られることにより、第１クリップ４４が第１引っ掛かり面３８に引っ掛かり、第２クリップ４５が第２引っ掛かり面３９に引っ掛かる。第２実施形態のパッド型熱電対は、測温部２３が測温領域３３に配置されたときに、第１クリップ４４が第１引っ掛かり面３８に引っ掛かり、第２クリップ４５が第２引っ掛かり面３９に引っ掛かることにより、測温部２３が測温領域３３から抜け出ないように熱電対部４１を炉壁１０に適切に支持することができる。第２実施形態のパッド型熱電対は、測温部２３が測温領域３３に配置されたときに、重力により測温部２３が測温領域３３から抜け出ないように熱電対部４１を炉壁１０に支持することにより、炉壁１０の温度を適切に測定することができる。
【００４９】
熱電対部４１は、測温部２３が測温領域３３に配置されているときに、熱電対挿入方向３５の反対方向に強力に引っ張られることにより、第１クリップ４４と第２クリップ４５とが弾性変形し、第１クリップ４４と第２クリップ４５とが第１引っ掛かり面３８と第２引っ掛かり面３９とから外れ、パッド部３１から取り外される。第２実施形態のパッド型熱電対は、熱電対部４１がパッド部３１に着脱可能であることにより、既述の第１実施形態のパッド型熱電対と同様にして、炉壁１０を傷つけたり、破壊したりすることなく、熱電対部２１を他の熱電対部に交換することができる。
【００５０】
図１１は、パッド型熱電対の第３実施形態を示している。第３実施形態のパッド型熱電対は、パッド部５１を備えている。パッド部５１は、第２実施形態におけるパッド部３１のクリップ部通過領域３４に代わってクリップ部通過領域５２が形成されている。クリップ部通過領域５２は、測温領域３３より熱電対挿入方向３５の側に形成され、測温領域３３に接続されるように、かつ、パッド部５１のうちの熱電対挿入方向３５の側の上面５３に接続するように、形成されている。
【００５１】
熱電対部４１の第１クリップ４４と第２クリップ４５とは、測温部２３がパッド部５１の測温領域３３に配置されたときに、クリップ部通過領域５２から外部に出ることにより、弾性変形が復元する。第１クリップ４４と第２クリップ４５とは、復元することにより、第１クリップ４４が形成する円と第２クリップ４５が形成する円とが上面５３に引っ掛かる。このため、第３実施形態のパッド型熱電対は、既述の第２実施形態のパッド型熱電対と同様にして、測温部２３が測温領域３３から抜け出ないように熱電対部４１を炉壁１０に適切に支持することができる。
【００５２】
パッド部５１は、クリップ部通過領域５２を介して外部の空気が測温領域３３に侵入することがある。熱電対部４１は、測温部２３が外部の空気にさらされることにより、温度を適切に測定することができないことがある。既述の第２実施形態のパッド型熱電対は、測温部通過領域３２以外を介して測温領域３３が外部に接続されていないことにより外部の空気が測温領域３３に侵入することが防止され、第３実施形態のパッド型熱電対に比較して、炉壁１０の温度をより高精度に測定することができる。
【００５３】
第２実施形態と第３実施形態とにおける第２クリップ４５は、１つの第１クリップ４４を用いて熱電対部４１をパッド部３１に適切に支持することができるときに、省略されることができる。すなわち、第２クリップ４５が省略されたパッド型熱電対も、既述の第２実施形態におけるパッド型熱電対と同様にして、熱電対部４１を炉壁１０に支持することにより、炉壁１０の温度を適切に測定することができる。
【００５４】
第１実施形態〜第３実施形態におけるパッド部１、３１は、鉛直方向に平行である面と異なる面に接合されることもできる。パッド型熱電対は、このような面にパッド部１、３０が接合された場合でも、熱電対部２１、４１を適切に支持することができ、測温対象の温度を適切に測定することができる。
【符号の説明】
【００５５】
１  ：パッド部
２  ：接合面
３  ：熱電対挿入方向
５  ：測温部通過領域
６  ：上面
７  ：下面
８  ：測温領域
１０：炉壁
１１：第１ホールドバー通過領域
１２：第２ホールドバー通過領域
１３：第３ホールドバー通過領域
１４：第４ホールドバー通過領域
１５：側面
１６：表側面
１７：引っ掛かり面
１８：途中引っ掛かり面
２１：熱電対部
２２：ケーブル部分
２３：測温部
２４：ホールドバー
３１：パッド部
３２：測温部通過領域
３３：測温領域
３４：クリップ部通過領域
３５：熱電対挿入方向
３６：下面
３７：テーパ面
３８：第１引っ掛かり面
３９：第２引っ掛かり面
４１：熱電対部
４４：第１クリップ
４５：第２クリップ
５１：パッド部
５２：クリップ部通過領域
５３：上面
【図１】
2015094604.tif 000003
【図２】
2015094604.tif 000004
【図３】
2015094604.tif 000005
【図４】
2015094604.tif 000006
【図５】
2015094604.tif 000007
【図６】
2015094604.tif 000008
【図７】
2015094604.tif 000009
【図８】
2015094604.tif 000010
【図９】
2015094604.tif 000011
【図１０】
2015094604.tif 000012
【図１１】
2015094604.tif 000013